(57)【特許請求の範囲】
【請求項１】
基部に対して進退可能な状態で設けられ、被ガイド部を有する操作子と、
前記基部に設けられ、前記基部に対して進退する操作子における被ガイド部と摺接することにより前記操作子を前記進退方向にガイドする操作子ガイド部とを備えた楽器の操作子ガイド構造において、
前記操作子ガイド部を、前記基部に設けられ前記操作子の被ガイド部との間に隙間を有するガイド片と、前記ガイド片に係合可能な係合穴を有する複数種類の被覆体からなり、前記各被覆体を前記ガイド片に取り付けた際の前記各被覆体における所定側面の位置が、前記ガイド片の所定側面から所定距離づつ変化するように構成された調整部材とで構成し、前記調整部材を構成する複数の被覆体のうちの所定の被覆体を前記ガイド片と前記被ガイド部との隙間に位置するようにして前記ガイド片に取り付けることにより、前記ガイド片に対する前記操作子の前記進退方向に直交する方向の位置を調整可能にしたことを特徴とする楽器の操作子ガイド構造。
【請求項２】
前記調整部材を構成する複数種類の被覆体を、前記ガイド片に対して異なる姿勢で係合可能にし、前記被覆体を異なる姿勢で前記ガイド片に係合させることにより、前記ガイド片と前記被ガイド部との間の間隔を調節して、前記ガイド片に対する前記操作子の前記進退方向に直交する方向の位置を調整可能にした請求項１に記載の楽器の操作子ガイド構造。
【発明の詳細な説明】
【０００１】
【発明の属する技術分野】
本発明は、基部に対して進退する操作子を備えた楽器における操作子の位置を調節するための操作子ガイド部を備えた楽器の操作子ガイド構造に関する。
【０００２】
【従来の技術】
従来から、例えば、白鍵と黒鍵とを備えた鍵盤装置の白鍵には、左右の側面が対称な鍵、左側面に黒鍵を配置するための凹部が形成された左右非対称な鍵、右側面に黒鍵を配置するための凹部が形成された左右非対称な鍵がある。そして、これらの白鍵を、樹脂材料を用いた射出成形によって成形すると、成形品が冷却されて固化する間に、各部分の収縮率の差からそれぞれ異なる方向に歪みが生じ、複数の白鍵を並べると各白鍵間の間隔が不揃いになることがある。
【０００３】
このため、鍵盤フレームの鍵並び方向に複数の鍵を配置した鍵盤装置においては、各鍵の間隔を一定にするとともに、鍵を押鍵方向にガイドする目的で、鍵の下面に凹部からなる被ガイド部を設け、鍵盤フレームに鍵の被ガイド部と摺接する鍵ガイド部を設けている（例えば、特許文献１参照）。この装置では、複数の鍵を揺動自在に支持する鍵盤フレームにおける各鍵の被ガイド部に対応する部分に、鍵ガイド片を設け、その外周部に、低摩擦で弾性を有する樹脂からなる被着部材をアウトサート成形して鍵ガイド部を形成している。
【０００４】
そして、被着部材は、鍵ガイド片に被着される基幹部と、基幹部から枝分かれした腕部を備えており、腕部の自由端には、突部が設けられている。この突部は、鍵の被ガイド部の内壁面に対向しており、鍵が横振れしてその被ガイド部の内壁面が突部に当接したときに、腕部が撓んでその衝撃を吸収するようになっている。
【０００５】
【特許文献１】
特開平５−３２３９５２号公報
【０００６】
【発明が解決しようとする課題】
しかしながら、前述した従来の鍵盤装置の鍵ガイド構造では、鍵盤フレームに設けられた鍵ガイド片自体が正確な位置に設けられていなければ、鍵盤フレームに取り付けられる各鍵も隣り合った鍵との間隔が不揃いになってしまう。このため、見栄えが悪くなったり、演奏の際に、隣り合った鍵どうしが接触や干渉したりして、外観や演奏に悪影響を及ぼすという問題が生じていた。
【０００７】
【発明の概要】
本発明は、上記問題に対処するためになされたもので、その目的は、基部に設けられたガイド片に調整部材を取り付けることにより、操作子の位置を調節可能にした楽器の操作子ガイド構造を提供することである。
【０００８】
上記の目的を達成するため、本発明にかかる楽器の操作子ガイド構造の構成上の特徴は、基部に対して進退可能な状態で設けられ、被ガイド部を有する操作子と、基部に設けられ、基部に対して進退する操作子における被ガイド部と摺接することにより操作子を進退方向にガイドする操作子ガイド部とを備えた楽器の操作子ガイド構造において、操作子ガイド部を、基部に設けられ操作子の被ガイド部との間に隙間を有するガイド片と、ガイド片に係合可能な係合穴を有する複数種類の被覆体からなり、各被覆体をガイド片に取り付けた際の各被覆体における所定側面の位置が、ガイド片の所定側面から所定距離づつ変化するように構成された調整部材とで構成し、調整部材を構成する複数の被覆体のうちの所定の被覆体を前記ガイド片と被ガイド部との隙間に位置するようにしてガイド片に取り付けることにより、ガイド片に対する操作子の進退方向に直交する方向の位置を調整可能にしたことにある。
【０００９】
前記のように構成した本発明の楽器の操作子ガイド構造では、操作子に設けられた被ガイド部と摺接することにより操作子を基部に対する進退方向にガイドする操作子ガイド部を、被ガイド部との間に隙間を有するガイド片と、ガイド片と被ガイド部の間に取り付けられた調整部材とで構成している。そして、調整部材をガイド片に係合可能な係合穴を有する複数種類の被覆体で構成し、各被覆体をガイド片に取り付けた際の各被覆体における所定側面の位置が、ガイド片の所定側面から所定距離づつ変化するようにしている。したがって、ガイド片の取り付け位置が正確でなくとも、ガイド片に取り付ける被覆体を適宜選択することによって、操作子の進退方向に直交する方向の位置を調整することができる。
【００１０】
この結果、見栄えがよくなるとともに、演奏の際に、操作子が隣接する部材等と接触したり干渉したりすることを防止できる。この場合の隣接する部材は、操作子が複数個並設されているときには隣の操作子であり、操作子が１個だけであれば、操作子を囲む周壁等の部材である。
【００１２】
この場合の調整部材は、ガイド片に係合する係合穴を被覆体の中央部に設けたものや、中央部からやや離れた部分に設けたものや、中央部からさらに離れた部分に設けたもの等、複数種類のもので構成し、各操作子に合った調整部材をその都度使用する。また、被覆体としては、ガイド片の周面部および上端部を覆うキャップ状のものや、ガイド片の周面部を覆うリング状のもの等が使用できる。
【００１３】
本発明にかかる楽器の操作子ガイド構造の他の構成上の特徴は、調整部材を構成する複数種類の被覆体を、ガイド片に対して異なる姿勢で係合可能にし、被覆体を異なる姿勢でガイド片に係合させることにより、ガイド片と被ガイド部との間の間隔を調節して、ガイド片に対する操作子の進退方向に直交する方向の位置を調整可能にしたことにある。
【００１４】
これによると、ガイド片に対する被覆体の係合姿勢をかえることにより、操作子の位置を調整できるため、さらにきめ細かな調整が可能になる。この場合の調整部材を構成する被覆体としては、ガイド片に対して操作子の進退方向に直交する方向に移動させて係合可能な横移動可能部材や、ガイド片を中心として回転方向に移動させて係合可能な回転偏心部材を用いることができる。
【００１５】
【発明の実施の形態】
以下、本発明の一実施形態を図面を用いて説明する。図１は、本発明にかかる楽器の操作子ガイド構造としての鍵ガイド構造を備えた鍵盤装置の一部を示している。この鍵盤装置は、合成樹脂により一体成形した本発明の基部としての鍵盤フレーム１０と、鍵盤フレーム１０上に横方向に並設された本発明の操作子としての複数の白鍵２０および黒鍵３０と、鍵盤フレーム１０に組み付けられて白鍵２０および黒鍵３０の下方に配置された揺動レバー４０とを備えている。
【００１６】
白鍵２０および黒鍵３０は、下方を開放させて断面コ字状に合成樹脂により一体成形され、各後端部２１，３１を鍵盤フレーム１０に上下方向に揺動可能に支持されている。白鍵２０および黒鍵３０の各後端部２１，３１における後側面は、上下方向を軸とする円柱状に形成されて水平断面は、上端面から下端面にわたって一様な円弧状になっている。また、各後端部２１，３１における一方の側面には、外周面を球面状に形成した突起（図示せず）が形成されている。
【００１７】
白鍵２０および黒鍵３０の各後端部２１，３１に対向した鍵盤フレーム１０の後端部には、上方および前方を開放させて水平断面がコ字状に形成された複数の支持部１１が立設されている。各支持部１１は、白鍵２０および黒鍵３０の各後端部２１，３１を支持するもので、各支持部１１の内面における各後端部２１，３１の突起に対応する部分には、球面状の凹部（図示せず）が形成されており、各後端部２１，３１を支持部１１内に上方から押し込むことにより、各後端部２１，３１は支持部１１に組み込まれる。この組み付け状態では、白鍵２０および黒鍵３０は、後端部２１，３１の突起を支点として上下方向に揺動する。
【００１８】
白鍵２０の前端部２２は、鍵盤フレーム１０の前端水平部１２に立設された本発明の操作子ガイド部としての鍵ガイド部５０により、白鍵２０の押鍵時に垂直方向にガイドされるようになっている。鍵ガイド部５０は、図２および図３に示すように、鍵盤フレーム１０の前端水平部１２に設けられたガイド片５１と、ガイド片５１の周面および上端面を覆った本発明の調整部材としてのキャップ５２ａとで構成されている。キャップ５２ａは、グリースを吸収した軟質の塩化ビニールで構成されている。
【００１９】
また、キャップ５２ａには、下面中央から上部に向けて係合穴５３ａが設けられており、この係合穴５３ａにガイド片５１を係合させることにより、キャップ５２ａは、ガイド片５１に被着している。鍵ガイド部５０は、図４および図５に示すようにして、白鍵２０の下面に設けられた本発明の被ガイド部としての凹部２３内に収容され白鍵２０の前端部２２を上下方向にガイドする。
【００２０】
また、図６は、ガイド片５１に被着したキャップ５２ａにおけるガイド片５１の上端面に沿った横断面を示しており、図７および図８は、それぞれキャップ５２ａと同じ大きさの他のキャップ５２ｂ，５２ｃの同部分の横断面を示している。キャップ５２ｂには、係合穴５３ａと同形同大の係合穴５３ｂが、キャップ５２ｂの中心から少し離れた部分に設けられており、キャップ５２ｃには、係合穴５３ａと同形同大の係合穴５３ｃが、キャップ５２ｃの中心からさらに離れた部分に設けられている。
【００２１】
そして、これらのキャップ５２ａ，５２ｂ，５２ｃは、白鍵２０の前端部２２とガイド片５１との位置関係に応じて適宜選択して使用される。すなわち、白鍵２０は、後端部２１を揃えて一定間隔で複数個が鍵盤フレーム１０に配置されるが、歪みが生じていたり、ガイド片５１の位置との関係で、各前端部２２が一定間隔にならず不揃いになったりする場合がある。このため、係合穴５３ａ，５３ｂ，５３ｃの位置がそれぞれ異なるキャップ５２ａ，５２ｂ，５２ｃを使用することにより各白鍵２０の前端部２２を一定間隔に揃える。
【００２２】
この場合、図４および図５に二点鎖線で示すように、キャップ５２ｂ，５２ｃを用いることにより、白鍵２０の鍵並び方向の位置が少しずつ変化して行く。すなわち、図４および図５では、キャップ５２ａを用いた場合の白鍵２０の位置を実線で示しており、二点鎖線２０ｂは、キャップ５２ｂを用いた場合の白鍵２０の位置を示し、二点鎖線２０ｃは、キャップ５２ｃを用いた場合の白鍵２０の位置をそれぞれ示している。
【００２３】
また、キャップ５２ｂ，５２ｃを、図７および図８に図示した状態から１８０度回転させて使用することにより、白鍵２０の位置は、図４および図５に実線で示した位置に対して、二点鎖線２０ｂ，２０ｃで示した位置と逆方向に移動するようになる。これによって、白鍵２０は、ガイド片５１に対して５通りの位置に調整可能になり、白鍵２０に歪みが生じていたり、ガイド片５１の設置位置が設計通りになっていなかったりしても、各白鍵２０を一定間隔に揃えることができる。
【００２４】
また、図１における前端水平部１２上には、フェルト等を重ねた長尺の鍵ストッパ１３も鍵並び方向に延設されて固着され、鍵ストッパ１３は、白鍵２０の下方への変位を規制する。黒鍵３０の中央部は、鍵盤フレーム１０の水平板１４に立設された鍵ガイド部６０により、黒鍵３０の押鍵時に垂直にガイドされるようになっている。この鍵ガイド部６０は、鍵ガイド部５０を小型にしたもので鍵ガイド部５０と同様の構成になっている。したがって、説明を省略する。
【００２５】
また、水平板１４上には、フェルト等を重ねた長尺の鍵ストッパ１５も鍵並び方向に延設されて固着され、鍵ストッパ１５は、黒鍵３０の下方への変位を規制する。また、白鍵２０の前端部２２近傍の下面には、垂直下方に延設した駆動部２４が一体的に形成されている。また、黒鍵３０の前端部の下面にも、垂直下方に延設するとともに、前方に曲げて延設した駆動部（図示せず）が一体的に形成されている。
【００２６】
揺動レバー４０は、合成樹脂製のレバー基部４１と金属製の錘４２とにより構成されている。レバー基部４１は、鍵盤フレーム１０の前方下端位置から後方斜め上方に延びる傾斜板１６の上端部に設けられた回動支持部１７に回動可能に組み付けられている。また、揺動レバー４０は、板ばね４３により前方に付勢されている。板ばね４３は、前端部をレバー基部４１に係止させ、後端部を白鍵２０（および黒鍵３０）の後端部２１（，３１）の内端面に当接させて、揺動レバー４０を前方に付勢するとともに、白鍵２０および黒鍵３０を後方に付勢する。
【００２７】
レバー基部４１の前端部における駆動部２４の下方には、脚部４４が形成され、白鍵２０の駆動部２４および黒鍵３０の駆動部の各下端は、脚部４４に上下方向に相互に力が伝達可能にそれぞれ係合される。また、脚部４４の下面には、下方に突出したスイッチ駆動部４５が形成されている。このスイッチ駆動部４５は、傾斜板１６に設けられたプリント基板４６上に組み付けられたゴム接点スイッチ４７に対向している。脚部４４は、白鍵２０および黒鍵３０の押鍵時に、ゴム接点スイッチ４７をプリント基板４６に対して押圧するように設定されている。
【００２８】
錘４２は、レバー基部４１の後部に一体的に組みつけられた棒状体で構成され、その重さによって、レバー基部４１の後部を下方に付勢することにより、脚部４４を上方に付勢して、白鍵２０の前端部２２および黒鍵３０の前端部を上方に付勢する。
【００２９】
つぎに、以上のように構成された鍵盤装置の動作を説明する。白鍵２０および黒鍵３０を押鍵操作しない状態では揺動レバー４０の錘４２は下方に位置して、白鍵２０の前端部２２および黒鍵３０の前端部は上方に位置して、図１の状態になっている。この状態で、白鍵２０の前端部２２および黒鍵３０の前端部を下方に押圧すると、白鍵２０および黒鍵３０は、錘４２の重さに抗して後端部２１，３１を支点に揺動する。
【００３０】
この白鍵２０および黒鍵３０の揺動により、駆動部２４等が、脚部４４を下降させてスイッチ駆動部４５でゴム接点スイッチ４７を押圧させる。この結果、ゴム接点スイッチ４７がプリント基板４６の所定部分を押圧して、対応する楽音が発生する。また、白鍵２０および黒鍵３０を離鍵すれば、錘４２の重さによって、白鍵２０および黒鍵３０は、押鍵時と逆方向に揺動して原点位置に復帰する。
【００３１】
この押鍵操作の際、各白鍵２０および黒鍵３０は、鍵ガイド部５０，６０によって、正確に上下移動するようにガイドされる。また、各白鍵２０および黒鍵３０間の間隔は、それぞれのガイド片５１に取り付けられたキャップ５２ａ，５２ｂ，５２ｃによって、一定になっているため、隣り合った各鍵２０，３０どうしが接触したり干渉したりすることがない。これによって、押鍵操作をスムーズに行える。また、各鍵２０，３０の間隔が一定になるため見栄えも良くなる。なお、長時間の使用によって、各鍵２０，３０の間隔がずれてきた場合にも、キャップ５２ａ，５２ｂ，５２ｃを、適宜取り替えることによって、各鍵２０，３０の間隔を一定に維持することができる。
【００３２】
図９は、本発明の他の実施形態による鍵盤装置の鍵ガイド構造が備える鍵ガイド部７０を示している。以下、白鍵２０および黒鍵３０を、白鍵２０として説明する。鍵ガイド部７０は、横断面が正四角形の棒状のガイド片７１と、このガイド片７１に取り付けられる有天四角筒状のキャップ７２とで構成されている。図９は、ガイド片７１の上端面とその上端面に対応するキャップ７２の部分における横断面を示しており、図示のように、キャップ７２には、ガイド片７１が嵌合できる係合穴７３が設けられている。
【００３３】
この係合穴７３は、キャップ７２の中央からやや離れた部分（図９におけるやや上方部分）に設けられており、係合穴７３の周面を形成する４つの内周面のうちの内周面７３ａとキャップ７２の外側面７２ａとの間の厚みは、内周面７３ｃとキャップ７２の外側面７２ｃとの間の厚みよりも薄くなるように設定され、内周面７３ｂとキャップ７２の外側面７２ｂとの間の厚みと、内周面７３ｄとキャップ７２の外側面７２ｄとの間の厚みは同じに設定されている。また、キャップ７２の４つの外側面７２a〜７２ｄの幅はすべて、同じ長さに設定されている。この鍵盤装置におけるそれ以外の部分の構成については、前述した鍵盤装置と同一である。
【００３４】
このように構成したため、内周面７３ｂ，７３ｄを白鍵２０の長手方向に沿わせて、キャップ７２をガイド片７１に取り付けると、白鍵２０は、図１０に示すように、ガイド片７１を幅方向の中央に位置させた状態で、鍵ガイド部７０によって上下方向にガイドされる。また、図１１に示すように、内周面７３ａを鍵並び方向における一方に位置させ、内周面７３ｃを鍵並び方向における他方に位置させて、キャップ７２をガイド片７１に取り付けると、白鍵２０の位置は、図１０に示した位置から所定距離だけ他方に移動する。この所定距離は、内周面７３ｂと外側面７２ｂとの間の厚みと、内周面７３ａと外側面７２ａとの間の厚みとの差となる。
【００３５】
また、図１２に示すように、内周面７３ｃを鍵並び方向における一方に位置させ、内周面７３ａを鍵並び方向における他方に位置させて、キャップ７２をガイド片７１に取り付けると、白鍵２０の位置は、図１０に示した位置から所定距離だけ一方に移動する。この所定距離は、内周面７３ｃと外側面７２ｃとの間の厚みと、内周面７３ｂと外側面７２ｂとの間の厚みとの差となる。このため、このキャップ７２を用いることにより、白鍵２０の位置をガイド片７１に対して３通りの位置に調整できる。
【００３６】
これによると、キャップ７２が１種類ですむため、製造が容易になりコストの低減が図れる。また、取り付け操作も、キャップ７２を回転させるだけで済むため簡単になる。それ以外の作用効果については、前述した鍵盤装置と同様である。
【００３７】
図１３は、本発明のさらに他の実施形態による鍵盤装置の鍵ガイド構造が備える鍵ガイド部８０を示している。鍵ガイド部８０は、横断面が正六角形の棒状のガイド片８１と、このガイド片８１に取り付けられる有天六角筒状のキャップ８２とで構成されている。図１３は、ガイド片８１の上端面とその上端面に対応するキャップ８２の部分における横断面を示しており、図示のように、キャップ８２には、ガイド片８１が嵌合できる係合穴８３が設けられている。
【００３８】
キャップ８２の６個の外側面８２a〜８２ｆの各幅は、それぞれ異なる長さに設定されており、その各外側面８２a〜８２ｆは、対応する係合穴８３の各内周面８３a〜８３ｆと平行している。また、係合穴８３は、キャップ８２の中央からやや離れた部分に設けられて、キャップ８２の外側面８２a〜８２ｆと、対応する係合穴８３の各内周面８３a〜８３ｆとの間の厚みは、一組を除いてそれぞれ異なるように設定されている。
【００３９】
すなわち、内周面８３ｂと外側面８２ｂとの間の厚みは、内周面８３ｅと外側面８２ｅとの間の厚みと同じに設定され、内周面８３ａと外側面８２ａとの間の厚みおよび内周面８３ｆと外側面８２ｆとの間の厚みは、それよりも薄く設定され、内周面８３ｃと外側面８２ｃとの間の厚みおよび内周面８３ｄと外側面８２ｄとの間の厚みは、それよりも厚く設定されている。そして、内周面８３ａと外側面８２ａとの間の厚みは、内周面８３ｆと外側面８２ｆとの間の厚みよりも厚く設定され、内周面８３ｃと外側面８２ｃとの間の厚みは、内周面８３ｄと外側面８２ｄとの間の厚みよりも厚く設定されている。この鍵盤装置におけるそれ以外の部分の構成については、前述した各鍵盤装置と同一である。
【００４０】
このように構成したため、内周面８３ｂ，８３ｅを白鍵２０の長手方向に沿わせて、キャップ８２をガイド片８１に取り付けると、白鍵２０は、図１４に示すように、ガイド片８１を幅方向の中央に位置させた状態で、鍵ガイド部８０によって上下方向にガイドされる。また、図１５に示すように、内周面８３ａを鍵並び方向における一方に位置させ、内周面８３ｄを鍵並び方向における他方に位置させて、キャップ８２をガイド片８１に取り付けると、白鍵２０の位置は、図１４に示した位置から所定距離だけ他方に移動する。この所定距離は、内周面８３ｂと外側面８２ｂとの間の厚みと、内周面８３ａと外側面８２ａとの間の厚みとの差となる。
【００４１】
また、図１６に示すように、内周面８３ｆを鍵並び方向における一方に位置させ、内周面８３ｃを鍵並び方向における他方に位置させて、キャップ８２をガイド片８１に取り付けると、白鍵２０の位置は、図１５に示した位置からさらに所定距離だけ他方に移動する。この所定距離は、内周面８３ａと外側面８２ａとの間の厚みと、内周面８３ｆと外側面８３ｆとの間の厚みとの差となる。また、キャップ８２を、図１５，１６の状態から１８０度回転させた状態でガイド片８１に取り付けることもでき、この場合、白鍵２０の移動方向は一方となる。
【００４２】
この結果、このキャップ８２を用いることによって、白鍵２０の位置をガイド片８１に対して５通りの位置に調整できる。これによっても、キャップ８２が１種類ですむため、製造が容易になりコストの低減が図れる。また、取り付け操作もキャップ８２を回転させるだけであるため簡単になる。それ以外の作用効果については、前述した各鍵盤装置と同様である。
【００４３】
図１７は、本発明のさらに他の実施形態による鍵盤装置の鍵ガイド構造が備える鍵ガイド部９０を示している。鍵ガイド部９０は、横断面が長方形の棒状のガイド片９１と、このガイド片９１に取り付けられる有天四角筒状のキャップ９２とで構成されている。図１７は、ガイド片９１の上端面とその上端面に対応するキャップ９２の部分における横断面を示しており、図示のように、キャップ９２には、ガイド片９１が左右方向に隙間を空けた状態で嵌合できる係合穴９３が設けられている。
【００４４】
ガイド片９１の後面（図１７の上方の面）には、左右方向に一定間隔を保って、３個の溝９１ａ，９１ｂ，９１ｃが上下方向に沿って設けられ、ガイド片９１の前面には、左右方向に間隔を保って２個の溝９１ｄ，９１ｅが上下方向に沿って設けられている。溝９１ｄは、溝９１ａ，９１ｂの左右方向における中央に対応する部分に設けられ、溝９１ｅは、溝９１ｂ，９１ｃの左右方向における中央に対応する部分に設けられている。したがって、各溝９１a，９１ｄ，９１ｂ，９１ｅ，９１ｃの左右方向における間隔は、一定になっている。
【００４５】
係合穴９３は、キャップ９２の中央に設けられており、係合穴９３の周面を形成する４つの内周面のうちの幅の長い一方の内周面の中央に、ガイド片９１の各溝９１ａ〜９１ｃと係合可能な上下に延びる突起９２ａが突設されている。この鍵盤装置におけるそれ以外の部分の構成については、前述した各鍵盤装置と同一である。
【００４６】
このように構成したため、溝９１ｂと突起９２ａを係合させて、ガイド片９１にキャップ９２を取り付けると、白鍵２０は、図１８に示すように、ガイド片９１を幅方向の中央に位置させた状態で、鍵ガイド部９０によって上下方向にガイドされる。また、図１９に示すように、溝９１ａと突起９２ａを係合させて、ガイド片９１にキャップ９２を取り付けると、白鍵２０の位置は、図１８に示した位置から所定距離だけ一方に移動した位置（実線部分）に移動する。また、溝９１ｃと突起９２ａを係合させて、ガイド片９１にキャップ９２を取り付けると、白鍵２０の位置は、図１９に示した実線の位置から所定距離だけ他方に移動した二点鎖線２０ｄの位置に移動する。この所定距離は、それぞれ溝９１ｂと溝９１ａとの間の距離および溝９１ａと溝９１ｃとの間の距離となる。
【００４７】
また、キャップ９２を１８０度回転させて、溝９１ｅと突起９２ａを係合させて、ガイド片９１にキャップ９２を取り付けると、白鍵２０は、図２０に実線で示すように、ガイド片９１を幅方向の中央よりもやや一方に位置させた状態で、鍵ガイド部９０によって上下方向にガイドされる。また、溝９１ｄと突起９２ａを係合させて、ガイド片９１にキャップ９２を取り付けると、白鍵２０の位置は、図２０に示した実線の位置から所定距離だけ他方に移動した二点鎖線２０ｅの位置に移動する。この場合の所定距離は、それぞれ溝９１ｄと溝９１ｅとの間の距離となる。このため、このキャップ９２を用いることにより、白鍵２０の位置をガイド片９１に対して５通りの位置に調整できる。
【００４８】
これによっても、キャップ９２が１種類ですむため、製造が容易になりコストの低減が図れる。また、取り付け操作もキャップ９２を左右方向に移動させる操作と１８０度回転させる操作だけで済むため簡単になる。それ以外の作用効果については、前述した各鍵盤装置と同様である。
【００４９】
また、前述した各実施形態は、適宜変更実施が可能である。例えば、各キャップ５２ａ等を構成する材料としては、塩化ビニールの外、天然ゴム、シリコンゴム等のグリースを吸収しやすい軟質素材を用いることができる。また、各キャップ５２ａ等に替えて、ガイド片５１等の周面を被覆するリング状や筒状のものを使用することもできる。また、前述した各実施形態では、楽器を鍵盤装置としているが、これに限らずトランペットやフルートのような操作子を備えた楽器でもよい。
【図面の簡単な説明】
【図１】  本発明の一実施形態による鍵盤装置のガイド構造を示す斜視図である。
【図２】  図１に示した鍵盤装置のガイド構造の要部を示す斜視図である。
【図３】  図１および図２に示した鍵盤装置のガイド構造が備える鍵ガイド部の斜視図である。
【図４】  鍵ガイド部に鍵を組み付けた状態を示す縦断面図である。
【図５】  鍵ガイド部に鍵を組み付けた状態を示す平面図である。
【図６】  ガイド片にキャップを組み付けた状態を示す横断面図である。
【図７】  ガイド片に他のキャップを組み付けた状態を示す横断面図である。
【図８】  ガイド片にさらに他のキャップを組み付けた状態を示す横断面図である。
【図９】  他の実施形態による鍵盤装置のガイド構造が備える鍵ガイド部の横断面図である。
【図１０】  図９に示した鍵ガイド部に鍵を組み付けた状態を示す平面図である。
【図１１】  図１０に示した鍵ガイド部におけるキャップのガイド片への取り付け姿勢を変更した状態を示す平面図である。
【図１２】  図１１のキャップの取り付け姿勢をさらに変更した状態を示す平面図である。
【図１３】  さらに他の実施形態による鍵盤装置のガイド構造が備える鍵ガイド部の横断面図である。
【図１４】  図１３に示した鍵ガイド部に鍵を組み付けた状態を示す平面図である。
【図１５】  図１４に示した鍵ガイド部におけるキャップのガイド片への取り付け姿勢を変更した状態を示す平面図である。
【図１６】  図１４に示したキャップのガイド片への取り付け姿勢をさらに変更した状態を示す平面図である。
【図１７】  さらに他の実施形態による鍵盤装置のガイド構造が備える鍵ガイド部の横断面図である。
【図１８】  図１７に示したガイド片の一方の面に形成された中央の溝にキャップの突起を係合させた鍵ガイド部に鍵を組み付けた状態を示す平面図である。
【図１９】  図１８に示した鍵ガイド部におけるキャップのガイド片への取り付け姿勢を変更した状態を示す平面図である。
【図２０】  図１７に示したガイド片の他方の面に形成された溝にキャップの突起を係合させた鍵ガイド部に鍵を組み付けた状態を示す平面図である。
【符号の説明】
１０…鍵盤フレーム、１１…支持部、１２…前端水平部、２０…白鍵、２１，３１…後端部、２２…前端部、２３…凹部、３０…黒鍵、５０，６０，７０，８０，９０…鍵ガイド部、５１，７１，８１，９１…ガイド片、５１ａ，５２ｂ，５２ｃ，７２，８２，９２…キャップ、５３ａ，５３ｂ，５３ｃ，７３，８３，９３…係合穴。
【図１】
0003702874.tif 000002
【図２】
0003702874.tif 000003
【図３】
0003702874.tif 000004
【図４】
0003702874.tif 000005
【図５】
0003702874.tif 000006
【図６】
0003702874.tif 000007
【図７】
0003702874.tif 000008
【図８】
0003702874.tif 000009
【図９】
0003702874.tif 000010
【図１０】
0003702874.tif 000011
【図１１】
0003702874.tif 000012
【図１２】
0003702874.tif 000013
【図１３】
0003702874.tif 000014
【図１４】
0003702874.tif 000015
【図１５】
0003702874.tif 000016
【図１６】
0003702874.tif 000017
【図１７】
0003702874.tif 000018
【図１８】
0003702874.tif 000019
【図１９】
0003702874.tif 000020
【図２０】
0003702874.tif 000021